(57)【特許請求の範囲】
【請求項１】
一端側を上面側に折り返してなる折り返し片を有し、ほぼ中央に折り部を有する封筒形成紙と、この封筒形成紙の上位に前記封筒形成紙よりも三周辺が短寸の申込用紙と説明用紙とを重ね合わせ、封筒形成紙の折り返し片上に申込用紙と説明用紙を綴じ合わせてなり、封筒形成紙の下面側には剥離性のある透視可能なフィルムが、折り返し片側を除く３周辺に沿って設けられた封緘用粘着剤を介して重ね合わされてなり、折り返し片を下面側に折り返すと、申込用紙は封筒形成紙の下面側の封緘用粘着剤の内側に対応位置するよう構成してなる封筒一体型申込用紙。
【請求項２】
封筒形成紙の折り部と平行する折り返し片の内側、および折り返し片と反対側の端部の粘着剤の内側、さらに申込用紙の綴じ合わせ部の内側に沿って、開封用ミシン目を設けてなる請求項１記載の封筒一体型申込用紙。
【請求項３】
申込用紙と説明用紙とは、分離可能に綴じ合わされてなる請求項１記載の封筒一体型申込用紙。
【発明の詳細な説明】
【０００１】
【産業上の利用分野】
本発明は、銀行、クレジット会社等の金融機関の各種預金口座、ローン、カード発行等の開設を行うための間接申込に関する。
【０００２】
【従来の技術】
この種の申込用紙にあっては、直接銀行、クレジット会社等の金融機関の窓口にいって説明を聞いて手続きをしなくても済むように、それぞれ別体の説明用紙、申込用紙、送付用封筒が一纏めにされ中身が見えるように透明なビニール封筒に入れて、誰でもが自由に持ち帰れるように有人、無人店舗に置いてある。
【０００３】
【発明が解決しようとする課題】
従って、各種金融機関の窓口業務の効率化の一環である特に無人店舗での顧客獲得を狙って行われる方法としては、人件費のかからないサービスとして有効なものであった。しかし、別体の説明用紙、申込用紙、送付用封筒が一纏めにされ透明なビニール封筒に入っており美観的には整っているものの、使い勝手としてはそれぞれの用紙が別体で構成されているため、説明用紙、申込用紙、送付用封筒のうちいづれかが不足して目的を達し得なかったり、顧客が説明内容を読んで申込用紙に記入する手順は、必然的に順序だてて見て書くとは限らず、合理的記入作業を望む顧客にとっては大変煩わしいものであった。また、申込用紙が送付用封筒の中で固定していないため、郵送中何らかの原因で封筒が破れて中身が脱落したり、申込受付者が封筒を開封する際に誤って中身も一緒に切ってしまうことがあった。
【０００４】
【課題を解決するための手段】
本発明は、顧客の立場に立って、また申込受付者の立場に立って、上記のような不都合を改善するため、上面側に折り返し片を有し、中央に折り部を有する封筒形成紙と、折り返し片側を除く３周辺が封緘幅より短い申込用紙とを強固に結合し、封筒形成紙大の説明用紙とを分離可能に順次折り返し片上で結合させてなり、封筒形成紙の下面側には剥離性のある透視可能なフィルムが、折り返し片側を除く３周辺に沿って設けられた封緘用粘着剤を介して重ね合わされてなり、且つ封緘後一辺開封すると共に申込用紙が封筒形成紙から分離するための開封用ミシン目を、封筒形成紙と申込用紙に設けたものである。
【０００５】
【作用】
外面が透明フィルムに被覆された見栄えの良い封筒一体型申込用紙であるため、顧客の目を引くと共に顧客が申込用紙に記入し易いように、最上位に説明用紙を配置し分離可能に申込用紙と結合させる一方、送付用封筒と一体化しているため、順序だてて申込用紙の記入ができ、且つ別体の封筒を用いずに申込用紙を内添し封筒化して郵送ができ、さらに開封においては一辺開封とし、開封と同時に申込用紙が封筒本体と分離取出せるものである。
【０００６】
【実施例】
本発明の封筒一体型申込書による預金口座開設の実施例について、添付図面に基づいて詳細に説明する。ここにおいて、図１は封筒一体型申込書の構成斜視図で、図２は図１の断面図、図３は図２を店舗配置用に二つ折りした断面図、図４は封筒形成紙の裏面図、図５は封筒形成紙の表面図、図６は封筒形成紙上に申込用紙が結合された平面図、図７は封筒形成紙の折り返し片を折り返した封筒形成紙の表面図、図８は封筒形成紙を二つ折りして申込用紙を内側に内添し封筒化した平面図、図９は図８の断面図、図１０は一辺開封後の申込用紙の取出し図である。
【０００７】
図１、図２は、預金口座内容、店舗案内、手続方法、記入方法等、申込に必要な事項が印刷された所望枚数の説明用紙Ａと、銀行での処理に必要な預金新約申込書、暗証番号登録票、預金印鑑票等、所望枚数が綴じられ裏カーボンまたはノーカーボンによる複写式申込用紙Ｂとが、折り返し片２側端部を除く封筒形成紙Ｃ裏面の三周辺に塗布された封緘用粘着剤６を、透明フィルムＤで保護した封筒形成紙Ｃ上に順序だてて見て記入できるように順次重ね合わされており、申込用紙Ｂと封筒形成紙Ｃの折り返し片２側および封筒形成紙Ｃの反対側には、略折り返し片２幅位置に開封ミシン目４が、また封筒形成紙Ｃの中央部には折り部３が筋押しかミシン目によって設けられている、預金口座開設申請用の封筒一体型申込書１を図示しているもので、図３は、この封筒一体型申込書１が説明用紙Ａと申込用紙Ｂとを内側になるように、封筒形成紙Ｃ裏面の透明フィルムＤ部を外側にして二つ折りされているもので、店舗の人目の付くところに置かれている。
【０００８】
ここで、封筒形成の際には内側となる面である封筒形成紙Ｃ裏面には、折り返し片２側端部を除く三周辺に封緘用粘着剤６が塗布されて透明フィルムＤで保護されているため、見栄えの良い広告面として使えると共に裏映り防止も兼ね、さらに必要に応じて追加の広告やチラシ等を入れることもできる情報伝達媒体ともなるものである。一方、封筒形成時には封筒の外側となる面であるため、図５のように封筒形成紙Ｃの表面の折り部３より折り返し片２側とは反対側には、封筒の送り先である宛先が印刷してある。
【０００９】
これを顧客が持ち帰り、図２のように広げて説明用紙Ａに書かれている預金口座内容、店舗案内、手続方法、記入方法等、申込に必要な事項を読んだ後、説明指示に従って、図６のように説明用紙Ａを分離可能な結合部５から分離した申込用紙Ｂに必要事項を記入、捺印する。この申込用紙Ｂは、封筒形成紙Ｃ上面側にある折り返し片２と結合されており、その結合部を除く三周辺は、封筒形成紙Ｃ裏面の封緘用粘着剤６塗布部幅より短い大きさである。
【００１０】
記入の終った申込用紙Ｂを郵送するためには、封筒形成紙Ｃの折り返し片２と申込用紙Ｂとが結合している状態で、封筒形成紙Ｃの折り返し片２を軸として封筒形成紙Ｃを３６０度回転（図７）させて透明フィルムＤを剥がし、申込用紙Ｂが内側になるように折り部３で二つ折りにして、封緘用粘着剤６で接着し封筒化する。図９は、この状態を示す断面図である。この封筒には、事前に宛先が印刷されているため、このままポストに投函し送ることができ、郵送中は封筒形成紙と一体化しているため中で動き回ることはない。
【００１１】
郵送されてきた封筒を受けとった申込受付者は、封筒の切手貼付部、または郵便料金別納表示部とは反対側の開封ミシン目４に沿って引きちぎると、封筒形成紙Ｃ上の折り返し片２も引きちぎれて一辺開封ができると共に、内添されている申込用紙Ｂが封筒形成紙Ｃと分離されて図１０のように取出すことができる。
【００１２】
【発明の効果】
以上、説明したところで明らかなように、本発明によれば、各種預金口座開設の間接申込に必要な説明用紙、申込用紙、封筒とが順序だてて一体化され、しかも透明フィルムに被覆された見栄えの良い封筒一体型申込用紙であるため、顧客の目を引くと共に顧客が申込用紙に記入し易く、さらに封筒形成紙上の折り返し片と申込用紙が一体化されており、開封ミシン目からの一辺開封で初めて封筒形成紙と分離されるため、郵送中の脱落不安や開封時の取出しが安全に行え、顧客や勧誘側にとって有益な効果を奏し得るものである。
【図面の簡単な説明】
【図１】  封筒一体型申込用紙の構成斜視図
【図２】  封筒一体型申込用紙の構成断面図
【図３】  封筒一体型申込用紙の店舗配置時の折り形態断面図
【図４】  封筒形成紙の裏面図
【図５】  封筒形成紙の表面図
【図６】  説明用紙を除いた封筒一体型申込用紙の平面図
【図７】  折り返し片を折り返した封筒形成紙の表面図
【図８】  封筒形成紙の折り部で二つ折りした封筒形成図
【図９】  図８の断面図
【図１０】  一辺開封後の申込用紙取出し図
【符号の説明】
Ａ    説明用紙
Ｂ    申込用紙
Ｃ    封筒形成紙
Ｄ    透明フィルム
１    封筒一体型申込用紙
２    折り返し片
３    折り部
４    開封ミシン目
５    分離可能な結合部
６    封緘用粘着剤
【図１】
0003696905.tif 000002
【図２】
0003696905.tif 000003
【図３】
0003696905.tif 000004
【図４】
0003696905.tif 000005
【図５】
0003696905.tif 000006
【図６】
0003696905.tif 000007
【図７】
0003696905.tif 000008
【図８】
0003696905.tif 000009
【図９】
0003696905.tif 000010
【図１０】
0003696905.tif 000011